(57)【要約】【課題】  各種電子部品を組付けたシャーシを共通化し、そのシャーシに対して幅の異なる複数種の天板及びフロントパネルをシャーシに選択的に組付けることができるようにする。【解決手段】  シャーシ２と天板３とがほぼ同幅で、該シャーシ２の側面板２Ｂの外側に天板３の側面部３Ｂを重ね合わせた電子機器１を基準とし、シャーシ２より天板３が幅広な電子機器１は、天板３の側面部３Ｂにシャーシ２の側面板２Ｂの外面に部分的に面接触する凹部３２を絞り加工により形成することにより、シャーシ２は、共通化できるようになる。【選択図】  図１
2006156501.tif 000002
【特許請求の範囲】
【請求項１】
各種電子部品を組付けたシャーシと、このシャーシを覆う天板と、これらシャーシと天板の前面開口部を覆うフロントパネルとで前記電子部品を収納する筐体を構成するとともに、幅が異なる複数組の天板及びフロントパネルを成形し、これを前記シャーシに選択的に組付けて前記シャーシを共通化するように構成したことを特徴とする筐体を備えた電子機器。
【請求項２】
前記シャーシは、前記電子部品を組付ける底面板と、この底面板の両側端から折曲した左右一対の側面板と、底面板の後端から折曲して前記筐体の背面を構成する後面板とから成り、前記天板は、前記底面板を覆う上面部と、この上面部の両側から垂設した左右一対の側面部とで構成し、前記シャーシと天板とがほぼ同幅で、該シャーシの側面板の外側に天板の側面部を重ね合わせた筐体を基準とし、前記シャーシより天板が幅広とした筐体は、前記天板の側面部に前記シャーシの側面板の外面に部分的に面接触する凹部を形成したことを特徴とする請求項１記載の筐体を備えた電子機器。
【請求項３】
前記凹部を絞り加工によって形成し、その凹部を把持部としたことを特徴とする請求項２記載の筐体を備えた電子機器。
【請求項４】
各種電子部品を組付ける底面板と該底面板の両側端から折曲した左右一対の側面板と前記底面板の後端から折曲して構成したシャーシと、左右両側から垂設した左右一対の側面部を有して前記シャーシを覆う天板と、これらシャーシと天板の前面開口部を覆うフロントパネルとで前記各種電子部品を収納する筐体を構成し、前記天板を前記シャーシより幅広に成形して、該シャーシの側面板の外側に天板の側面部との間に隙間を形成するとともに、前記天板の側面部に前記シャーシの側面板の外面に部分的に面接触する凹部を形成し、この凹部によって前記筐体の両側に一対の把持部を形成したことを特徴とする筐体を備えた電子機器。
【発明の詳細な説明】
【技術分野】
【０００１】
本発明は、筐体を備えた電子機器、特にシャーシを共通化することが可能な筐体を備えた電子機器に関する。
【背景技術】
【０００２】
従来、例えば、ディスクプレーヤやハードディスク記録再生装置などに用いる筐体は、電子部品をシャーシに組付け、これを天板で覆い、これらシャーシと天板の前面開口部をフロントパネルで覆う構造が一般的であり、特許文献１には、筐体の下側壁が構成するシャーシと同筐体の上側壁が構成するカバーとを具備する電子機器用筐体において、前記シャーシとカバーとを同一形状の部品で構成した電子機器用筐体が開示されている。
【０００３】
【特許文献１】特開２００１−２９８２７６号公報
【発明の開示】
【発明が解決しようとする課題】
【０００４】
しかし、特許文献１では、筐体を構成するシャーシとカバーとを同一形状とすることによって、シャーシとカバーとを共用部品として部品点数の削減化を図るものであるが、筐体のサイズが異なると、そのサイズに応じてそれぞれシャーシとカバーを形成する必要がある。しかし、複数のメーカーに例えばディスクプレーヤなどの電子機器を供給する場合、スペック的に共通し、筐体内に収納する電子部品が実質的に同一な場合であっても、各メーカーによって、当然、フロントパネルを含む筐体自体の形態や寸法は異なることから、各メーカーの仕様に沿って筐体を構成するシャーシとカバーを種々成形する必要がある。このため、筐体内に収納する電子部品が実質的に同一な場合であるにも拘らず、それぞれ専用の筐体を個別に製造する必要があり、部品の共通化を図ることができないから、生産コストの上昇を招くという課題を有していた。
【０００５】
本発明は、上記課題に鑑みてなされたもので、外形サイズが種々異なる筐体を製造するにあたり、各種電子部品を組付けたシャーシを共通化することが可能な筐体を備えた電子機器を提供することを目的とする。
【課題を解決するための手段】
【０００６】
本発明の請求項１の筐体を備えた電子機器は、各種電子部品を組付けたシャーシと、このシャーシを覆う天板と、これらシャーシと天板の前面開口部を覆うフロントパネルとで前記電子部品を収納する筐体を構成するとともに、幅が異なる複数組の天板及びフロントパネルを成形し、これを前記シャーシに選択的に組付けて前記シャーシを共通化するように構成したことを特徴とする。
【０００７】
請求項１の構成によれば、幅が異なる複数組の天板及びフロントパネルを成形し、これを各種電子部品を組付けたシャーシに選択的に組付けて前記シャーシを共通化するように構成したことにより幅が異なる天板及びフロントパネルを使用してもシャーシは共通化することができる。
【０００８】
本発明の請求項２の筐体を備えた電子機器は、前記シャーシは、前記電子部品を組付ける底面板と、この底面板の両側端から折曲した左右一対の側面板と、底面板の後端から折曲して前記筐体の背面を構成する後面板とから成り、前記天板は、前記底面板を覆う上面部と、この上面部の両側から垂設した左右一対の側面部とで構成し、前記シャーシと天板とがほぼ同幅で、該シャーシの側面板の外側に天板の側面部を重ね合わせた筐体を基準とし、前記シャーシより天板が幅広とした筐体は、前記天板の側面部に前記シャーシの側面板の外面に部分的に面接触する凹部を形成したことを特徴とする。
【０００９】
請求項２の構成によれば、前記シャーシと天板とがほぼ同幅で、該シャーシの側面板の外側に天板の側面部を重ね合わせた筐体を基準とし、前記シャーシより天板が幅広とした筐体は、前記天板の側面部に前記シャーシの側面板の外面に部分的に面接触する凹部を形成することにより、シャーシの側面板の外面に天板の側面部が部分的に面接触することができるのでシャーシに天板を取り付けることができる。
【００１０】
本発明の請求項３の筐体を備えた電子機器は、前記凹部を絞り加工によって形成し、その凹部を把持部としたことを特徴とする。
【００１１】
請求項３の構成によれば、凹部を絞り加工によって形成することにより、部品点数を増やすことなくその凹部を把持部として電子機器の持ち運びを行う為の把持手段とすることができるとともに、筐体の側面に凹部を形成することにより、筐体の強度も高めることが可能となる。
【００１２】
本発明の請求項４の筐体を備えた電子機器は、各種電子部品を組付ける底面板と該底面板の両側端から折曲した左右一対の側面板と前記底面板の後端から折曲して構成したシャーシと、左右両側から垂設した左右一対の側面部を有して前記シャーシを覆う天板と、これらシャーシと天板の前面開口部を覆うフロントパネルとで前記各種電子部品を収納する筐体を構成し、前記天板を前記シャーシより幅広に成形して、該シャーシの側面板の外側に天板の側面部との間に隙間を形成するとともに、前記天板の側面部に前記シャーシの側面板の外面に部分的に面接触する凹部を形成し、この凹部によって前記筐体の両側に一対の把持部を形成したことを特徴とする。
【００１３】
請求項４の構成によれば、筐体の側面に把持部となる凹部を形成することにより、別途、把持手段を筐体に組付ける必要がなく、成形加工が容易であるとともに、筐体の側面に凹部を形成することにより、筐体の強度も高めることが可能となる。
【発明の効果】
【００１４】
請求項１の筐体を備えた電子機器によれば、各種電子部品を組付けたシャーシと、このシャーシを覆う天板と、これらシャーシと天板の前面開口部を覆うフロントパネルとで前記電子部品を収納する筐体を構成するとともに、幅が異なる複数組の天板及びフロントパネルを成形し、これを前記シャーシに選択的に組付けて前記シャーシを共通化するように構成したことを特徴とすることにより、幅が異なる複数の電子機器を製作する際に天板及びフロントパネルを複数組成形すれば、天板の幅に合わせてシャーシを複数組成形する必要が無くなり、シャーシは、共通化することが可能となる為、シャーシを複数組成形する製作費に対するコストを節約することができる。
【００１５】
請求項２の筐体を備えた電子機器によれば、前記シャーシは、前記電子部品を組付ける底面板と、この底面板の両側端から折曲した左右一対の側面板と、底面板の後端から折曲して前記筐体の背面を構成する後面板とから成り、前記天板は、前記底面板を覆う上面部と、この上面部の両側から垂設した左右一対の側面部とで構成し、前記シャーシと天板とがほぼ同幅で、該シャーシの側面板の外側に天板の側面部を重ね合わせた筐体を基準とし、前記シャーシより天板が幅広とした筐体は、前記天板の側面部に前記シャーシの側面板の外面に部分的に面接触する凹部を形成したことにより、前記シャーシとほぼ同一の幅の天板もシャーシに取り付けることが可能であるし、また、前記シャーシより天板が幅広の筐体でも天板の側面部に前記シャーシの側面板の外面に部分的に面接触する凹部を形成することにより、シャーシの側面板の外面に部分的に面接触することができるので前記シャーシに取り付けることが可能となる。
【００１６】
請求項３の筐体を備えた電子機器によれば、前記凹部を絞り加工によって形成し、その凹部を把持部としたことにより、部品点数を増やすことなく電子機器を持ち運びするための把持手段を容易に設けることが可能となり、天板の両側面に絞り加工を施して把持部を形成している為、電子機器に余分な部品を取り付けて外観を損なうことも無く、また、前記凹部を絞り加工によって形成している為に天板側面の強度を向上する補強としての効果もある。
【００１７】
請求項４の筐体を備えた電子機器によれば、各種電子部品を組付ける底面板と該底面板の両側端から折曲した左右一対の側面板と前記底面板の後端から折曲して構成したシャーシと、左右両側から垂設した左右一対の側面部を有して前記シャーシを覆う天板と、これらシャーシと天板の前面開口部を覆うフロントパネルとで前記各種電子部品を収納する筐体を構成し、前記天板を前記シャーシより幅広に成形して、該シャーシの側面板の外側に天板の側面部との間に隙間を形成するとともに、前記天板の側面部に前記シャーシの側面板の外面に部分的に面接触する凹部を形成し、この凹部によって前記筐体の両側に一対の把持部を形成したものであるから、筐体の側面に形成する凹部によって別途、把持部となる専用部品を組付けることなく、筐体に把持部を形成することができ、成形加工が容易であるとともに、筐体の側面に形成する凹部によって、筐体の強度を高めることができる。
【発明を実施するための最良の形態】
【００１８】
本発明の実施の形態を実施例に基づき図面を参照して説明する。図１は、筐体を備えた電子機器の構成部材を示す分解斜視図、図２は、シャーシと天板が同幅の電子機器のシャーシ及び天板を示す断面図、図３は、シャーシに対して天板が幅広の電子機器を示す斜視図、図４は、シャーシに対して天板が幅広の電子機器のＡ−Ａ断面図、図５は、シャーシに対して天板が幅広の電子機器のＢ−Ｂ断面図、図６は、シャーシに対して天板が幅広の電子機器の両側面部に形成された把持部に手をかけて電子機器を持ち上げている状態を示す斜視図である。なお、本実施例においては、電子機器としてＤＶＤプレーヤ１に適用した場合を例にして説明する。図１〜図６に示すように、ＤＶＤプレーヤ１は、ディスク装置やこれらを駆動する回路基板などの各種電子部品５を収納する筐体１Ａが、シャーシ２、天板３、フロントパネル４によって構成されている。
【００１９】
シャーシ２は、各種電子部品５を組付ける底面板２Ａと、この底面板２Ａの両側端から折曲した左右一対の側面板２Ｂと、底板部２Ａの後端から折曲して前記筐体１Ａの背面を構成する後面板２Ｃとから成り、前記天板３は、断面コ字型に折曲して前記底面板２Ａを覆う上面部３Ａと、この上面部３Ａの両側から垂設した左右一対の側面部３Ｂとで構成している。また、前記フロントパネル４は前面パネル４Ａと、この前面パネル４Ａの周縁から後方に向かって一体成形した枠部４Ｂとで構成している。
【００２０】
次に筐体１Ａの取付構造について説明する。シャーシ２の側面板２Ｂには、ねじ孔２２が成形され、天板３の側面部３Ｂにはねじ孔２２と対応する位置にねじ６の貫通孔３１が形成されている。また、フロントパネルの枠部４Ｂの底部には係合フック４１が形成され、シャーシ２の底面板２Ａには係合フック４１と係合する係合孔部２１が形成されている。そして、図２に示すように、各種電子部品５を組付けたシャーシ２に天板３を被せ、シャーシ２の側面板２Ｂの外側に天板３の側面部３Ｂを重ね合わせ、天板３の貫通孔３１からシャーシ２のねじ孔２２にねじ６をねじ込んでシャーシ２と天板３を固定する。この後、シャーシ２と天板３の前面にフロントパネル４の枠部４Ｂを嵌め入れてフロントパネル４でシャーシ２と天板３の前面開口部３０を覆うとともに、フロントパネル４の係合フック４１をシャーシ２の係合孔部２１に係合させてフロントパネル４を固定する。
【００２１】
図２に示すように、各種電子部品５を組付けたシャーシ２と、これに組付けるフロントパネル４がほぼ同幅の場合は、必然的にシャーシ２に組付ける天板３は、シャーシ２とほぼ同幅であり、これが基準となる。そして、例えば、フロントパネル４のデザインが異なる他のメーカーに供給する場合、フロントパネル４の幅や大きさが異なり、フロントパネル４の幅がシャーシ２の幅より広くなる場合がある。この場合、図４及び図５に示すように、天板３が幅広の電子機器１の断面Ａ−Ａのようにシャーシ２の側面板２Ｂと、天板３の側面部３Ｂとの間には、当然、隙間Ｓが生じることになる。このように、シャーシ２に対してフロントパネル４と天板３の幅が広くなった場合、図３及び図５で示すように、天板３の側面部３Ｂに絞り加工により凹部３２を形成し、その凹部３２の底部をシャーシ２の側面板２Ｂに面接触させる。これにより、シャーシ２に対してフロントパネル４と天板３の幅が広い場合、天板３の側面部３Ｂに凹部３２を形成することで、幅の狭いシャーシ２にフロントパネル４と天板３を組付けることが可能となる。このように、各種電子部品５を組付けたシャーシ２に対してフロントパネル４と天板３とがほぼ同幅なタイプを基準とし、そのシャーシ２より幅の広いフロントパネル４と天板３については、その幅の差に応じた凹部３２を形成した天板３を複数種用意し、これを選択的に組付けることによって、各種電子部品５を組付けたシャーシ２を共通化することができる。このように各種電子部品５を組付けたシャーシ２を共通化することにより、生産効率を高めることができるため、製造コストを削減することができる。また、天板３に形成する凹部３２は図６に示すように把持部３３として兼用することができるから、部品点数を増やすことなく電子機器としてのＤＶＤプレーヤ１を持ち運びするための把持手段を別途、設けることが必要もない。しかも、天板３の両側面部３Ｂに絞り加工を施して把持部３３となる凹部３２を形成することにより、電子機器１に余分な部品を取り付けて外観を損なうことも無く、また、前記凹部３２を絞り加工によって形成している為に天板３の側面部３Ｂの強度を向上する補強としての効果もある。
【００２２】
以上、本発明の実施例について詳述したが、本発明は、前記実施例に限定されるものではなく、本発明の要旨の範囲内で種々の変形実施が可能である。例えば、前記実施例では、絞り加工による凹部３２は、天板３の側面部３Ｂに一箇所しか設けられていないが複数箇所設けてもよい。また、凹部３２の形状なども前記実施例に限定されるものではなく、適宜選定すればよいものである。
【図面の簡単な説明】
【００２３】
【図１】本発明の筐体を備えた電子機器の構成部材を示す分解斜視図である。
【図２】同上、シャーシと天板が同幅の電子機器のシャーシ及び天板を示す断面図である。
【図３】同上、シャーシに対して天板が幅広の電子機器を示す斜視図である。
【図４】同上、シャーシに対して天板が幅広の電子機器のＡ−Ａ断面図である。
【図５】同上、シャーシに対して天板が幅広の電子機器のＢ−Ｂ断面図である。
【図６】同上、シャーシに対して天板が幅広の電子機器の両側面部に形成された把持部に手をかけて電子機器を持ち上げている状態を示す斜視図である。
【符号の説明】
【００２４】
１    ＤＶＤプレーヤ（電子機器）
２    シャーシ
２Ａ  底面板
２Ｂ  側面部
３    天板
３Ａ  上面部
３Ｂ  側面部
４    フロントパネル
５    電子部品
３２  凹部
３３  把持部
【図１】
2006156501.tif 000003
【図２】
2006156501.tif 000004
【図３】
2006156501.tif 000005
【図４】
2006156501.tif 000006
【図５】
2006156501.tif 000007
【図６】
2006156501.tif 000008